(57)【要約】【課題】デジタルマルチメディア放送受信装置及びそのユーザインターフェース方法を提供する。【解決手段】デジタルマルチメディア放送を受信する受信部と、受信されたデジタルマルチメディア放送信号を処理してデジタルマルチメディア放送信号に含まれたアンサンブル及びサービスについての情報を抽出する処理部と、抽出されたアンサンブル及びサービスについての情報に基づいて、第１軸はアンサンブル名、第２軸はサービス名で構成されるグリッド状に受信されたサービスを表示するユーザインターフェースと、を備えることを特徴とするデジタルマルチメディア放送受信装置である。また、ユーザインターフェースは、ユーザから所望のサービスについての選択情報を入力される入力手段をさらに備えることが望ましい。【選択図】図３
2006141002.tif 000002
【特許請求の範囲】
【請求項１】
ＤＭＢ放送を受信する受信部と、
前記受信されたＤＭＢ放送信号を処理して前記ＤＭＢ放送信号に含まれたアンサンブル及びサービスについての情報を抽出する処理部と、
前記抽出されたアンサンブル及びサービスについての情報に基づいて、第１軸は、アンサンブル名、第２軸は、サービス名で構成されるグリッド状に受信されたサービスを表示するユーザインターフェースと、を備えることを特徴とするＤＭＢ放送受信装置。
【請求項２】
前記ユーザインターフェースは、ユーザから所望のサービスについての選択情報を入力される入力手段をさらに備えることを特徴とする請求項１に記載のＤＭＢ放送受信装置。
【請求項３】
前記入力手段は、４方向キー及び確認キーを含み、
前記４方向キーと確認キーの組合わせで前記サービスを選択できることを特徴とする請求項２に記載のＤＭＢ放送受信装置。
【請求項４】
前記ユーザインターフェースは、前記入力手段を通じてユーザから前記グリッド状に表示されたサービスのうち、所望の前記サービスについての選択情報を入力され、
前記処理部は、前記選択されたサービスを実行することを特徴とする請求項２に記載のＤＭＢ放送受信装置。
【請求項５】
前記ユーザインターフェースは、各サービスの総放送時間と現在当該サービスの放送進行時間とをさらに表示することを特徴とする請求項１に記載のＤＭＢ放送受信装置。
【請求項６】
前記ユーザインターフェースは、各サービスの総放送時間と現在当該サービスの放送進行時間とを状態バー状で表示し、前記各状態バーは、各サービスの総放送時間の長さと関係なく一定のサイズを有することを特徴とする請求項５に記載のＤＭＢ放送受信装置。
【請求項７】
前記処理部は、前記ＤＭＢ放送信号のうち高速情報チャンネルに含まれたサービス情報から、前記アンサンブル及びサービスについての情報を抽出することを特徴とする請求項１に記載のＤＭＢ放送受信装置。
【請求項８】
前記受信部は、衛星放送、または地上波放送、またはこれらの組合わせで構成された放送媒体を通じて前記放送信号を受信することを特徴とする請求項１に記載のＤＭＢ放送受信装置。
【請求項９】
前記ＤＭＢ放送受信装置は、ＤＭＢ放送信号を受信する機能を備えた、セットップボックス、記録器、再生器、デジタルＴＶ受信機、モバイル装置のうち何れか一つであることを特徴とする請求項１に記載のＤＭＢ放送受信装置。
【請求項１０】
ＤＭＢ放送受信装置のためのユーザインターフェース方法において、
受信されたＤＭＢ放送信号を処理して前記ＤＭＢ放送信号に含まれたアンサンブル及びサービスについての情報を抽出するステップと、
前記抽出されたアンサンブル及びサービスについての情報に基づいて、第１軸はアンサンブル名、第２軸はサービス名で構成されるグリッド状に受信されたサービスを表示するステップと、を含むことを特徴とするユーザインターフェース方法。
【請求項１１】
前記表示するステップ以後に、ユーザから所望のサービスについての選択情報を入力されるステップをさらに含むことを特徴とする請求項１０に記載のユーザインターフェース方法。
【請求項１２】
前記入力されるステップは、入力手段に含まれる４方向キー及び確認キーの組合わせで前記サービス選択情報を入力されることを特徴とする請求項１１に記載のユーザインターフェース方法。
【請求項１３】
前記入力されたステップは、前記入力手段を通じてユーザから前記グリッド状に表示されたサービスのうち、所望の前記サービスについての選択情報を入力され、
前記入力されるステップ以後に前記選択されたサービスを実行するステップをさらに含むことを特徴とする請求項１１に記載のユーザインターフェース方法。
【請求項１４】
前記表示するステップは、各サービスの総放送時間と現在当該サービスの放送進行時間とをさらに表示することを特徴とする請求項１０に記載のユーザインターフェース方法。
【請求項１５】
前記表示するステップは、各サービスの総放送時間と現在当該サービスの放送進行時間とを状態バー状に表示し、前記各状態バーは、各サービスの総放送時間の長さと関係なく一定のサイズを有することを特徴とする請求項１４に記載のユーザインターフェース方法。
【請求項１６】
前記抽出するステップは、前記ＤＭＢ放送信号のうち高速情報チャンネルに含まれたサービス情報から、前記アンサンブル及びサービスについての情報を抽出することを特徴とする請求項１０に記載のユーザインターフェース方法。
【発明の詳細な説明】
【技術分野】
【０００１】
本発明は、デジタルマルチメディア放送（Ｄｉｇｉｔａｌ Ｍｕｌｔｉｍｅｄｉａ Ｂｒｏａｄｃａｓｔｉｎｇ：以下、ＤＭＢ放送と略称する）に係り、さらに詳細には、ＤＭＢ放送受信装置及びそのユーザインターフェース方法に関する。
【背景技術】
【０００２】
ＤＭＢ放送は、画像情報信号、オーディオ情報信号、文字情報信号などがＭＰＥＧ−２フォーマットに圧縮され、複数の物理的チャンネルと各物理的チャンネル当たり複数の論理的チャンネルとに対応するサービス情報信号が多重化されて送信される。このとき、多重化された信号は、衛星放送、地上波放送などの多様な放送媒体を通じてＤＭＢ受信装置に送信される。所定の周波数を有する一つのアンサンブルは、放送プログラムを意味する複数のサービスで構成され、各サービスは、複数のサービスコンポーネントで構成される。例えば、ＫＢＳ、ＭＢＣ、ＥＢＳ、ＳＢＳなどの物理的チャンネルは、アンサンブルに該当し、第１ＴＶ、第２ＴＶ、第１ラジオ、第２ラジオ、交通文字放送などの論理的チャンネルは、サービスに該当する。
【０００３】
前述したように、ＤＭＢ放送信号には、一つのアンサンブルに複数のサービスがコード分割方式によって多重化されて含まれる。すなわち、一つのアンサンブルに複数のサービスが共に送信されるので、ＤＭＢ受信装置は、一つのアンサンブルに対して同じ時間帯に複数の放送を受信できる。このとき、ユーザが所望の放送サービスを選択するためにアンサンブル及びサービスを選択するユーザインターフェースが要求される。
【０００４】
一方、従来の放送信号は、一つの物理的チャンネルに一つの放送プログラムのみが送信される。したがって、同じ時間帯には、一つの放送のみを受信できる。したがって、所望の時間帯にチャンネルのみ選択すれば、該当する放送プログラムを視聴できる。従来のテレビ放送プログラムの選択方法を開示した特許文献１によれば、次のようなユーザインターフェースが提供される。
【０００５】
図１は、従来のテレビプログラム選択のためのユーザインターフェース画面の一例である。図１を参照すれば、ユーザが所望の放送プログラムを選択させるためのユーザインターフェースは、垂直方向に支援されるチャンネルを表示し、水平方向には、時間帯別放送プログラムを示す方式である。すなわち、時間の経過によって順次に放送プログラムが表示され、ユーザは、順次的な放送プログラムリストのうち、所望の時間帯の放送プログラムを選択できる。
【０００６】
図２は、従来のテレビプログラム選択方法を示したフローチャートである。図２を参照すれば、ユーザは、図１に示されたユーザインターフェースの下段に表示されたメニューのうち、“テレビ（TELEVISION）”というメニューを選択し、図１に示したユーザインターフェースの上段に表示された時間帯別に順次に表示される放送プログラムを選択できる。ユーザによって選択された放送プログラムが現在放送中であれば、全体画面で表示し、もし、放送中でなければ、放送社ロゴや色調整表など、所定のビットマップ画面を表示する。
【０００７】
このように、従来は、一つの物理的チャンネルで同じ時間帯には一つの放送のみを受信できるので、前述したユーザインターフェース画面のように、時間帯別に順次に放送プログラムを表示してもよい。
しかし、ＤＭＢ放送信号の場合、一つの物理的チャンネル（アンサンブル）で同じ時間帯に複数の放送サービスを受信できるので、従来のユーザインターフェース画面ではこれを表現できないという問題点がある。
【特許文献１】米国特許第５７３１８４４号明細書
【発明の開示】
【発明が解決しようとする課題】
【０００８】
本発明が解決しようとする技術的課題は、一つのアンサンブルに複数のサービスを表示し、所望のサービスを効率的に選択できるＤＭＢ放送受信装置及びそのユーザインターフェース方法を提供することである。
【課題を解決するための手段】
【０００９】
本発明によれば、前記課題は、ＤＭＢ放送を受信する受信部と、受信されたＤＭＢ放送信号を処理してＤＭＢ放送信号に含まれたアンサンブル及びサービスについての情報を抽出する処理部と、抽出されたアンサンブル及びサービスについての情報に基づいて、第１軸はアンサンブル名、第２軸はサービス名で構成されるグリッド状に受信されたサービスを表示するユーザインターフェースと、を備えることを特徴とするＤＭＢ放送受信装置によって達成される。
また、前記ユーザインターフェースは、ユーザから所望のサービスについての選択情報を入力される入力手段をさらに備えることが望ましく、前記入力手段は、４方向キー及び確認キーを備え、４方向キーと確認キーとの組合わせでサービスを選択できることが望ましい。
また、前記ユーザインターフェースは、入力手段を通じてユーザからグリッド状に表示されたサービスのうち所望のサービスについての選択情報を入力され、処理部は、選択されたサービスを実行することが望ましい。
また、前記ユーザインターフェースは、各サービスの総放送時間と現在当該サービスの放送進行時間とをさらに表示することが望ましい。
また、前記ユーザインターフェースは、各サービスの総放送時間と現在当該サービスの放送進行時間とを状態バー状で表示し、各状態バーは、各サービスの総放送時間の長さと関係なく一定のサイズを有することが望ましい。
また、前記処理部は、ＤＭＢ放送信号のうち、高速情報チャンネルに含まれたサービス情報からアンサンブル及びサービスについての情報を抽出することが望ましく、前記受信部は、衛星放送、または地上波放送、またはこれらの組合わせで構成された放送媒体を通じて放送信号を受信することが望ましく、前記ＤＭＢ放送受信装置は、ＤＭＢ放送信号を受信する機能を備えた、セットップボックス、記録器、再生器、デジタルＴＶ受信機、モバイル装置のうち何れか一つであることが望ましい。
【００１０】
一方、本発明の他の分野によれば、前記課題は、ＤＭＢ放送受信装置のためのユーザインターフェース方法において、受信されたＤＭＢ放送信号を処理してＤＭＢ放送信号に含まれたアンサンブル及びサービスについての情報を抽出するステップと、抽出されたアンサンブル及びサービスについての情報に基づいて、第１軸はアンサンブル名、第２軸はサービス名で構成されるグリッド状に受信されたサービスを表示するステップと、を含むことを特徴とするユーザインターフェース方法によって達成される。
【発明の効果】
【００１１】
本発明によれば、一つのアンサンブルに複数のサービスを表示し、所望のサービスを効率的に選択できるＤＭＢ放送受信装置及びそのユーザインターフェース方法が提供される。
すなわち、アンサンブル軸とサービス軸とで構成されたグリッド状のユーザインターフェースを提供することによって、一つのアンサンブルに提供される複数のサービスを表現でき、新たな概念のＤＭＢ放送コンテンツの構成を視覚化できる。また、送信者の意図によって、一つのアンサンブルに対するサービスの構成が可変的でありうるというＤＭＢ放送の特性を容易にユーザインターフェースに反映できる。
さらに、各サービスの総放送時間と各サービスの現在進行時間とを視覚化して表現することによって、現在各サービスの進行状態を一目で把握できる。
【発明を実施するための最良の形態】
【００１２】
以下、添付した図面を参照して本発明をさらに詳細に説明する。
図３は、本発明の望ましい実施形態によるユーザインターフェース画面の一実施形態である。
図３を参照すれば、物理的チャンネルを意味するアンサンブル軸と論理的チャンネルを意味するサービス軸とで構成されるユーザインターフェース画面が示される。図１に示されたように、従来のテレビプログラム選択のためのユーザインターフェースは、チャンネル軸と時間軸とによってプログラム名を表示し、所望のプログラムを選択させた。しかし、これは、一つの物理的チャンネル当たり複数のサービスを提供するＤＭＢ放送の特性を正しく表現できないため、図３のようにアンサンブル軸とサービス軸とで構成されたユーザインターフェースを提供する。したがって、一つのアンサンブルに提供される複数のサービスを表現でき、新たな概念のＤＭＢ放送コンテンツの構成を視覚化できる。
例えば、アンサンブル１がＫＢＳである場合、サービス１−１は第１ＴＶ、サービス１−２は第２ＴＶ、サービス１−３は第１ラジオ、サービス１−４は第２ラジオ、サービス１−５は交通文字放送サービスを表す。このように、一つのアンサンブルで提供する複数のサービスを一目で分かるように表示して、ユーザが所望の放送サービスを容易に選択できる。
また、アンサンブル軸とサービス軸とで構成されたグリッド状のユーザインターフェースを提供することによって、送信者の意図によって、一つのアンサンブルに対するサービスの構成が可変的でありうるというＤＭＢ放送の特性も表現できる。例えば、アンサンブル１のサービスが５個から３個に減った場合、サービス１−４及びサービス１−５は、ブランクと表現することによって、送信者側の変更事項を容易にユーザインターフェースに反映できる。
【００１３】
さらに、各サービスの総放送時間と各サービスの現在進行時間とを視覚化して表現することによって、現在各サービスの進行状態を一目で把握させうる。具体的に、図６は、本発明によるサービス状態を表す画面の一実施形態である。
図６を参照すれば、各サービスごとに総放送時間と現在進行時間とを表示した状態バーが表示される。このような状態バーは、図３に示したように、各サービスごとに含まれることによって、各サービスの現在進行状態を一目で把握できる。各サービスは、送信者の意図によって多様な長さを有しうる。例えば、１時間、２時間、３時間のように、その長さが多様である。本発明では、相対的時間で表示して、それぞれ長さが異なるサービスを同じサイズのバーで表示する。図６に示した３つの場合、総放送時間が何れも異なるが、同じサイズのバーで表示されたことが分かる。また、各サービスの現在進行時間を黒色バー及び／または矢印で表示する。これにより、総サービス時間のうち、現在進行状態がどの程度であるかを一目で把握できる。アンサンブルとサービス、そして現在進行状態情報を表現するための具体的な方法は、後述する。
【００１４】
図４は、本発明によるサービス選択のためのユーザインターフェース入力装置の一実施形態である。
図４を参照すれば、４方向キーと確認キーとを備えた入力装置を提供して、図３に示した各サービスを容易にナビゲーションできる。本発明によるＤＭＢ放送受信装置のユーザインターフェースは、従来の単純リスト状の順次的なアクセス方法ではなく、グリッドを利用したマトリックス状のアクセス方法を使用することによって、サービス選択のためのキー押し回数を減らせる。
例えば、図８は、本発明によるサービス変更方法を示す図面である。図８を参照すれば、現在サービス１−１を利用する間にサービス２−２にサービスを変更しようとする場合の例が示されている。現在視聴中であるサービス１−１の名前がハイライトされている。ユーザが図４に示した方向キーを利用して、下側に一回、右側に一回押せば、サービス２−２にハイライトが移動し、ユーザが確認キーを押せば、サービス２−２に転換される。または、方向キーを右側に一回、下側に一回押した後、確認キーを押しても同じ効果を表す。
一方、従来の順次的なアクセス方法によるユーザインターフェースの場合ならば、サービス１−１，サービス１−２，サービス１−３，．．．，サービス２−１，サービス２−２とハイライトを順次に移動してサービスを変更できる。すなわち、本発明によるグリッド状のユーザインターフェース画面と入力装置とを利用すれば、サービス選択のためのキー押し回数を減らせ、各サービスを容易にナビゲーションできる。
【００１５】
本発明によるグリッド状のユーザインターフェース画面と入力装置とを利用したサービス変更方法を整理すれば、図７の通りである。図７を参照すれば、４方向キーを押して所望のサービスに移動し（ステップ３０２）、所望のサービスに達すれば（ステップ３０４）、確認キーを押す（ステップ３０６）。以後、選択されたサービスを利用できる（ステップ３０８）。このように、本発明による入力装置とユーザインターフェース画面とを利用すれば、サービス選択のためのキー押し回数を減らせる。
【００１６】
さらに、図５は、本発明によるサービス選択のためのユーザインターフェース画面の一実施形態である。図５を参照すれば、アンサンブルを表す縦軸の最右側にアンサンブルスクロールバーが追加され、サービスを表す横軸の最下段にサービススクロールバーが追加されたことが分かる。前述した４方向キー入力装置と共に、スクロールバーを利用すれば、サービスナビゲーションをさらに容易かつ便利にできる。前述した入力装置は、ＤＭＢ受信装置に内蔵されたキーボード形式の入力装置であるか、または有／無線で連結された別途の入力装置であり、ＤＭＢ受信装置のディスプレイ画面がタッチスクリーンである場合など、多様な形態で具現されうる。
【００１７】
以下では、前述したユーザインターフェースを具現するためのＤＭＢ放送受信装置の構成及び方法を詳細に説明する。
図９は、本発明の望ましい実施形態によるＤＭＢ放送受信装置のブロック図である。
図９を参照すれば、本発明によるＤＭＢ放送受信装置は、放送受信部１０、チャンネルデコーダ２０、ＭＰＥＧデコーダ３０、マイクロプロセッサ４０及びユーザインターフェース５０を備える。
放送受信部１０は、衛星放送、地上波放送などの多様な放送媒体を利用してＤＭＢ放送信号を受信する。チャンネルデコーダ２０は、受信された放送信号を分割して処理し、ユーザが選択したサービスのためのデータをＭＰＥＧデコーダ３０に送る。ＭＰＥＧデコーダ３０は、チャンネルデコーダによって処理されたデータを、ＭＰＥＧ標準によってデコーディングして、画像情報、オーディオ情報、及び／または文字情報として出力する。
一方、マイクロプロセッサ４０は、ユーザインターフェース５０を通じて、図３のようなグリッド状のユーザインターフェース画面を表示し、図４のような入力装置を通じてユーザからサービス選択情報を受けて、これをチャンネルデコーダ２０に送る。ユーザインターフェース５０は、前述したように、グリッド状のユーザインターフェース画面を表示するための表示手段と、ユーザからサービス選択情報を入力されるための入力手段と、を備える。もちろん、タッチスクリーンの場合、入力手段と表示手段とが結合された場合も含まれる。
【００１８】
図１０は、図９に示されたチャンネルデコーダのブロック図である。
図１０を参照すれば、チャンネルデコーダ２０は、信号分割部２２、 高速情報チャンネル（ＦＩＣ：Ｆａｓｔ Ｉｎｆｏｒｍａｔｉｏｎ Ｃｈａｎｎｅｌ）処理部２４及びメインサービスチャンネル（ＭＳＣ：Ｍａｉｎ Ｓｅｒｖｉｃｅ Ｃｈａｎｎｅｌ）処理部２６を備える。信号分割部２２は、受信された放送信号を分割して、後述するＤＭＢ放送のデータフレームからＦＩＣデータとＭＳＣデータとに分割する。分割された各ＦＩＣデータとＭＳＣデータとは、それぞれＦＩＣ処理部２４とＭＳＣ処理部２６で処理される。
【００１９】
さらに具体的に、図１１は、本発明によるＤＭＢ放送の伝送フレームの構成を示す図面である。
図１１を参照すれば、ＤＭＢ放送信号の伝送単位である伝送フレームは、同期化チャンネル、ＦＩＣ及びＭＳＣを含む。同期化チャンネルは、各伝送フレームを同期化するための情報であり、ＦＩＣは、メインサービス情報を解釈する前に解釈せねばならない情報であり、ＭＳＣは、ＤＭＢ放送のための情報である。
【００２０】
図１２は、本発明によるＤＭＢ放送のサービス構成を例示した図面である。
図１２を参照すれば、ＤＭＢアンサンブル１の場合、α１ラジオ、βラジオ、α２ＴＶというサービスを含む。α２ ＴＶというサービスは、αＴＭＣ、αＳＩ、オーディオ及びビデオサービスコンポーネントを含む。各サービスコンポーネントは、サブチャンネルａ、ｂ、ｃなどに対応する。ＭＳＣには、各サブチャンネルのデータが含まれる。
一方、図１２の左側に示された高速情報チャンネルには、メインチャンネルについての情報（ＭＣＩ：Ｍａｉｎ Ｃｈａｎｎｅｌ Ｉｎｆｏｒｍａｔｉｏｎ）とサービス情報（ＳＩ：Ｓｅｒｖｉｃｅ Ｉｎｆｏｒｍａｔｉｏｎ）２００とが含まれ、高速伝送の必要な情報（ＦＩＤＣ：Ｆａｓｔ Ｉｎｆｏｒｍａｔｉｏｎ Ｄａｔａ Ｃｈａｎｎｅｌ）が含まれる。特に、ＳＩ ２００には、アンサンブル及びサービスについての情報が含まれる。前述したユーザインターフェースを提供するためには、ＳＩが利用される。
【００２１】
具体的に、図１３には、図１２に示された高速情報チャンネルのうち、ＳＩに含まれた情報が示される。図１３を参照すれば、サービスコンポーネントの言語、各国家の識別情報及び時間情報、プログラム番号、プログラムタイプなどの情報が含まれる。特に、アンサンブルラベル２０６とサービスラベル２０７とが含まれ、サービスコンポーネントトリガ２０５も含まれる。アンサンブルラベル２０６は、図３に示されたアンサンブル軸を表示するための情報として使われる。サービスラベル２０７は、各アンサンブル別に提供されるサービスを表示するための情報として使われる。
特に、図３に示された各サービスの現在状態を表す状態バーを表示するために、各サービスの総放送時間についての情報（例えば、開始／終了時刻）は、放送局で別途に提供するデータサービスを通じて確認できる。例えば、プログラム付加情報（Ｐｒｏｇｒａｍ Ａｓｓｏｃｉａｔｉｏｎ Ｄａｔａ：ＰＡＤ）、または別途のサービスチャンネルである電子プログラムガイド放送（Ｅｌｅｃｔｒｏｎｉｃ Ｐｒｏｇｒａｍ Ｇｕｉｄｅ：ＥＰＧ）を通じて各サービスの総放送時間を提供されうる。また、サービスコンポーネントトリガ２０５は、各サービスが開始する時点を知らせる情報として使われる。すなわち、サービスコンポーネントトリガは、各サービスチャンネルの変更時点を知らせるので、それから経過時間を表示すれば、各サービスの現在進行状態を表示できる。
【００２２】
図１４は、本発明の望ましい実施形態によるサービス情報を表示する方法を示すフローチャートである。
図１４を参照すれば、ノイズが検出されないようにＭＰＥＧデコーダ３０にミュート信号を伝送してミュートオンとし（ステップ４０２）、マイクロプロセッサ４０に保存されているアンサンブル周波数データを読出して次のアンサンブルの周波数を読み込み（ステップ４０４）、当該アンサンブル周波数で受信された前述した伝送フレームデータをチャンネルデコーダ２０でデコーディングする（ステップ４０６）。特に、伝送フレームのうち、高速チャンネル情報に含まれたＳＩを利用して、当該アンサンブルに含まれるサービスについての情報を保存する（ステップ４０８）。所定の周波数範囲（バンド）全部を検索したか否かを判断し（ステップ４１０）、全部検索したとすれば、ミュートオフ信号をＭＰＥＧデコーダ３０に伝送し（ステップ４１２）、保存された全てのアンサンブルに含まれたサービス情報を、前述したように、アンサンブル軸とサービス軸とで構成されたグリッド状に表示する（ステップ４１４）。
【００２３】
以上、アンサンブルを縦軸で、サービスを横軸で表現した実施形態を中心に説明したが、図３に示されたユーザインターフェース画面は、一実施形態に過ぎず、その反対の場合またはそれ以外に変形された形態に多様に表現できる。
一方、本発明によるユーザインターフェースを利用したサービス表示、変更及び選択方法は、コンピュータプログラムで作成可能である。前記プログラムを構成するコード及びコードセグメントは、当該分野のコンピュータプログラマーによって容易に推論されうる。また、前記プログラムは、コンピュータで読み取り可能な情報記録媒体に保存され、コンピュータによって読み取られ、かつ実行されることによって、メタデータを利用した検索方法を具現する。前記情報記録媒体は、磁気記録媒体、光記録媒体、及びキャリアウェーブ媒体を含む。
【００２４】
以上、本発明についてその望ましい実施形態を中心に説明した。当業者は、本発明が、本発明の本質的な特性から逸脱しない範囲で変形された形態で具現できることが分かるであろう。したがって、開示された実施形態は、限定的な観点ではなく、説明的な観点で考慮されねばならない。本発明の範囲は、前述した説明ではなく、特許請求の範囲に表れており、それと同等な範囲内にある全ての差異点は、本発明に含まれたものと解釈されねばならない。
【産業上の利用可能性】
【００２５】
本発明は、ＤＭＢ放送受信装置及びユーザインターフェースに関連した技術分野に適用可能である。
【図面の簡単な説明】
【００２６】
【図１】従来のテレビプログラム選択のためのユーザインターフェース画面の一例である。
【図２】従来のテレビプログラム選択方法を示すフローチャートである。
【図３】本発明の望ましい実施形態によるユーザインターフェース画面の一実施形態である。
【図４】本発明によるサービス選択のためのユーザインターフェース入力装置の一実施形態である。
【図５】本発明によるサービス選択のためのユーザインターフェース画面の一実施形態である。
【図６】本発明によるサービス状態を示す画面の一実施形態である。
【図７】本発明によるサービス選択方法を示すフローチャートである。
【図８】本発明によるサービス変更方法を示す図面である。
【図９】本発明の望ましい実施形態によるＤＭＢ放送受信装置のブロック図である。
【図１０】図９に示されたチャンネルデコーダのブロック図である。
【図１１】本発明によるＤＭＢ放送の伝送フレームの構成を示す図面である。
【図１２】本発明によるＤＭＢ放送のサービス構成を例示した図面である。
【図１３】図１２に示された高速情報チャンネルのうち、ＳＩに含まれた情報を示す図面である。
【図１４】本発明の望ましい実施形態によるサービス情報を表示する方法を示すフローチャートである。
【符号の説明】
【００２７】
１０  放送受信部
２０  チャンネルデコーダ
２２  信号分割部
２４  ＦＩＣ処理部
２６  ＭＳＣ処理部
３０  ＭＰＥＧデコーダ
４０  マイクロプロセッサ
５０  ユーザインターフェース
【図１】
2006141002.tif 000003
【図２】
2006141002.tif 000004
【図３】
2006141002.tif 000005
【図４】
2006141002.tif 000006
【図５】
2006141002.tif 000007
【図６】
2006141002.tif 000008
【図７】
2006141002.tif 000009
【図８】
2006141002.tif 000010
【図９】
2006141002.tif 000011
【図１０】
2006141002.tif 000012
【図１１】
2006141002.tif 000013
【図１２】
2006141002.tif 000014
【図１３】
2006141002.tif 000015
【図１４】
2006141002.tif 000016